(57)【要約】      （修正有）【課題】タッチパネル及びこれを用いるタッチ表示装置を提供する。【解決手段】タッチパネル１００は、第１基板及びタッチ電極層を含む。第１基板はタッチ領域と、タッチ領域の外部のトレース領域とを有する。タッチ電極層は、第１基板上に配置され、かつ、複数のタッチ電極と、第１トレース２１とを含む。タッチ電極はタッチ領域に配置される。第１トレース２１は、トレース領域に配置されるトレース部２０１と、タッチ領域に配置されるコンタクト部２０２と、接続部２０３とを有する。コンタクト部２０２は、タッチ電極のうちの少なくとも１つに電気的に接続される。接続部２０３は、第１端部２３１及び第２端部２３２を有する。第１端部２３１はトレース部２０１に接続され、第２端部２３２はコンタクト部２０２に接続される。第１端部２３１の第１の幅Ｗ１は、第２端部２３２の第２の幅Ｗ２よりも小さい。【選択図】図２Ａ
0003198981.tif 000002
【実用新案登録請求の範囲】
【請求項１】
タッチ領域と、前記タッチ領域の外部のトレース領域とを有する第１基板と、
前記第１基板上に配置されるタッチ電極層と、
を備え、
前記タッチ電極層は、
前記タッチ領域に配置される複数のタッチ電極と、
第１トレースと、を含み、
前記第１トレースは、
前記トレース領域に配置されるトレース部と、
前記タッチ領域に配置され、かつ、前記タッチ電極のうちの少なくとも１つに電気的に接続されるコンタクト部と、
前記トレース部に接続される第１端部と、前記コンタクト部に接続される第２端部とを有する接続部と、を含み、
前記第１端部の第１の幅は、前記第２端部の第２の幅よりも小さい、
タッチパネル。
【請求項２】
前記接続部は第１側部を有し、前記第１側部は第１の曲率を有する曲線である、請求項１に記載のタッチパネル。
【請求項３】
前記接続部は第２側部を有し、前記第２側部は、前記第１の曲率とは異なる第２の曲率を有する曲線である、請求項２に記載のタッチパネル。
【請求項４】
前記接続部は第１側部を有し、前記第１側部は直線又は折れ線である、請求項１に記載のタッチパネル。
【請求項５】
前記トレース部は第１方向に沿って延在し、前記第１方向に垂直な前記第１端部の幅が前記第１の幅であり、前記第１方向に垂直な前記コンタクト部の最大幅が第３の幅であり、前記第１方向に垂直な前記第１トレースの最大幅が第４の幅であり、前記第１の幅は前記第３の幅よりも小さく、前記第３の幅は前記第４の幅よりも小さい、請求項１に記載のタッチパネル。
【請求項６】
前記タッチ電極層は、前記第１トレースに隣接して配置される第２トレースを更に含み、
前記コンタクト部と前記第２トレースとの間の最小距離は、前記トレース部と前記第２トレースとの間の最小距離よりも大きい、請求項１に記載のタッチパネル。
【請求項７】
第１基板と、
前記第１基板上に配置されるアレイ層と、
前記アレイ層上に配置される表示媒体層と、
前記表示媒体層上に配置される第２基板と、
前記第２基板上に配置される保護層と、
前記保護層と前記第１基板との間に配置されるタッチ電極層と、
を備え、
前記タッチ電極層は、
タッチ領域に配置される複数のタッチ電極と、
第１トレースと、を含み、
前記第１トレースは、
前記タッチ領域の外部のトレース領域に配置されるトレース部と、
前記タッチ領域に配置され、かつ、前記タッチ電極のうちの少なくとも１つに電気的に接続されるコンタクト部と、
前記トレース部に接続される第１端部と、前記コンタクト部に接続される第２端部とを有する接続部と、を含み、
前記第１端部の第１の幅は、前記第２端部の第２の幅よりも小さい、
タッチ表示装置。
【請求項８】
前記タッチ電極層は、前記保護層と前記第２基板との間か、前記第２基板と前記表示媒体層との間か、あるいは、前記表示媒体層と前記第１基板との間に配置される、請求項７に記載のタッチ表示装置。
【請求項９】
前記タッチ電極層は、前記第２基板と前記表示媒体層との間に配置される第１タッチ電極層と、前記第２基板と前記保護層との間に配置される第２タッチ電極層とを含み、前記第２基板は薄膜である、請求項７に記載のタッチ表示装置。
【請求項１０】
前記第１タッチ電極層と、前記表示媒体層との間に配置される第３基板を更に含み、
前記第３基板は薄膜である、請求項９に記載のタッチ表示装置。
【請求項１１】
前記表示媒体層と前記第２基板との間か、あるいは、前記アレイ層と前記表示媒体層との間に配置されるカラーフィルター層を更に含む、請求項７に記載のタッチ表示装置。
【請求項１２】
前記接続部は第１側部を有し、前記第１側部は第１の曲率を有する曲線である、請求項７に記載のタッチ表示装置。
【請求項１３】
前記接続部は第２側部を有し、前記第２側部は、前記第１の曲率とは異なる第２の曲率を有する曲線である、請求項１２に記載のタッチ表示装置。
【請求項１４】
前記接続部は第１側部を有し、前記第１側部は直線又は折れ線である、請求項７に記載のタッチ表示装置。
【請求項１５】
前記トレース部は第１方向に沿って延在し、前記第１方向に垂直な前記第１端部の幅が、前記第１の幅であり、前記第１方向に垂直な前記コンタクト部の最大幅が第３の幅であり、前記第１方向に垂直な前記第１トレースの最大幅が第４の幅であり、前記第１の幅は前記第３の幅よりも小さく、前記第３の幅は前記第４の幅よりも小さい、請求項７に記載のタッチ表示装置。
【請求項１６】
前記タッチ電極層は、前記第１トレースに隣接して配置される第２トレースを更に含み、
前記コンタクト部と前記第２トレースとの間の最小距離が、前記トレース部と前記第２トレースとの間の最小距離よりも大きい、請求項７に記載のタッチ表示装置。
【考案の詳細な説明】
【技術分野】
【０００１】
本開示は、概して、タッチパネル及びこれを用いるタッチ表示装置に関する。
【背景技術】
【０００２】
技術の発展に伴い、タッチ表示装置が、携帯電話、タブレットＰＣ、ノートブックコンピュータ及び他の電子機器において広く使用されてきた。装置の搬送を容易にするため、このような電子機器はより薄く、かつ、より軽く製造される。例えば、米国で出願された先行文献（米国特許出願番号１２／９４５，９０７号）は、駆動回路を集積した表示パネルを含む表示装置を開示する。しかしながら、内部トレースは電子機器のより多くの機能で更に複雑化し、その結果、信号が互いに妨げ合ったり、あるいは、静電気放電（ＥＳＤ）が発生したりしてしまう。それ故、限られたスペースにおける上述のような課題を効果的に解決することが、本技術分野では主たる目標であった。
【考案の概要】
【０００３】
本開示は、タッチパネル及びこれを用いるタッチ表示装置に関する。隣接するトレース間での信号妨害や、トレースの端部における静電的集積から生じる静電気放電は、内部トレースの設計により、効果的に解決され得る。
【０００４】
一実施形態に従って、第１基板及びタッチ電極層を含むタッチパネルが設けられる。第１基板は、タッチ領域と、タッチ領域の外部のトレース領域とを有する。タッチ電極層は、第１基板上に配置され、かつ、複数のタッチ電極と第１トレースとを含む。タッチ電極は、タッチ領域に配置される。第１トレースは、トレース領域に配置されるトレース部と、タッチ領域に配置されるコンタクト部と、接続部とを有する。コンタクト部は、タッチ電極のうちの少なくとも１つに電気的に接続される。接続部は第１端部及び第２端部を有する。第１端部はトレース部に接続され、第２端部はコンタクト部に接続される。第１端部の第１の幅は、第２端部の第２の幅よりも小さい。
【０００５】
他の実施形態に従って、第１基板、第１基板上に配置されるアレイ層、アレイ層上に配置される表示媒体層、表示媒体層上に配置される第２基板、第２基板上に配置される保護層及び保護層と第１基板との間に配置されるタッチ電極層を含むタッチ表示装置が設けられる。タッチ電極層は、タッチ領域に配置される複数のタッチ電極と、第１トレースとを含む。第１トレースは、タッチ領域の外部のトレース領域に配置されるトレース部と、タッチ領域に配置され、かつ、タッチ電極のうちの少なくとも１つに電気的に接続されるコンタクト部と、トレース部に接続される第１端部及びコンタクト部に接続される第２端部を有する接続部とを有する。第１端部の第１の幅は、第２端部の第２の幅よりも小さい。
【図面の簡単な説明】
【０００６】
【図１】本開示に従った一実施形態におけるタッチパネルの上面図である。
【図２Ａ】図１の領域Ａの拡大概略図である。
【図２Ｂ】本開示に従った他の実施形態におけるタッチパネルの上面図である。
【図２Ｃ】本開示に従った更なる他の実施形態におけるタッチパネルの上面図である。
【図３Ａ】本開示に従った実施形態におけるタッチ表示装置の断面図である。
【図３Ｂ】本開示に従った実施形態におけるタッチ表示装置の断面図である。
【図３Ｃ】本開示に従った実施形態におけるタッチ表示装置の断面図である。
【図３Ｄ】本開示に従った実施形態におけるタッチ表示装置の断面図である。
【図４Ａ】本開示に従った実施形態におけるタッチ表示装置の断面図である。
【図４Ｂ】本開示に従った実施形態におけるタッチ表示装置の断面図である。
【図４Ｃ】本開示に従った実施形態におけるタッチ表示装置の断面図である。
【０００７】
以下の考案を実施するための形態では、説明を目的として、開示される実施形態の完全な理解を提供するために数々の具体的な詳細が規定される。しかし、これらの具体的な詳細なしに、１つ以上の実施形態が実施され得るということが明らかであろう。別の事例では、公知の構造及び装置が、図を簡略化するために模式的に表される。
【考案を実施するための形態】
【０００８】
実施形態は、添付の図面を参照して詳細に説明される。実施形態の同一の要素には、同様の参照番号が付されている。また、図示では、寸法が原寸通りでなくてもよく、具体的に図示されていない、本開示の他の実施形態が存在し得るということを指摘することが重要である。従って、明細書及び図面は、限定的な意味ではなく例示的な意味として扱われる。
【０００９】
図１は、本開示に従った一実施形態におけるタッチパネル１００の上面図である。図１に図示されるように、タッチパネル１００は、第１基板１０及びタッチ電極層２０を含む。第１基板１０は、タッチ領域１１と、タッチ領域１１の外部のトレース領域１２とを有する。本実施形態において、トレース領域１２は、タッチ領域１１の周辺部に配置される。タッチ電極層２０は第１基板１０上に配置され、複数のタッチ電極１１１と、第１トレース２１とを含む。タッチ電極１１１はタッチ領域１１内に存在する。
【００１０】
図２Ａは、図１の領域Ａの拡大概略図である。図１及び図２Ａに図示されるように、タッチパネル１００の第１トレース２１は、トレース部２０１、コンタクト部２０２及び接続部２０３を有する。トレース部２０１はトレース領域１２に配置される。コンタクト部２０２は、タッチ領域１１に配置され、かつ、タッチ電極１１１のうちの少なくとも１つに電気的に接続される。接続部２０３は、第１端部２３１及び第２端部２３２を有する。第１端部２３１はトレース部２０１に接続され、第２端部２３２はコンタクト部２０２に接続される。
【００１１】
本実施形態において、接続部２０３の第１端部２３１は、第１の幅Ｗ１を有し、接続部２０３の第２端部２３２は、第１の幅Ｗ１とは異なる第２の幅Ｗ２を有する。例えば、図２Ａにおいて、トレース部２０１は第１方向（Ｘ方向）に沿って延在する。第１の幅Ｗ１は、第１方向に垂直な（Ｙ方向に沿った）接続部２０３の第１端部２３１の幅などで、第２の幅Ｗ２は、第１方向（Ｘ方向）に沿った接続部２０３の第２端部２３２の幅などであり、第１の幅Ｗ１は、第２の幅Ｗ２よりも小さい。より詳細には、第１基板１０上の第２端部２３２の突出部は、第１トレース２１に接続されるタッチ電極１１１の縁部の一部と重なることができる。
【００１２】
加えて、本開示に従った一実施形態における接続部２０３は、第１側部２０３１及び第２側部２０３２を有する。第１側部２０３１は、第１の曲率を有する曲線であり、第２側部２０３２も第１の曲率とは異なる第２の曲率を有する曲線でよい。ここで、第１の曲率は第１側部２０３１における部分の平均曲率として定義され、第２の曲率は第２側部２０３２における部分の平均曲率として定義される。例えば、本開示の実施形態において、第１の曲率は第２の曲率よりも大きく、これにより、第１端部２３１から第２端部２３２への接続部２０３の幅は増加することができる。
【００１３】
図２Ａに図示されるように、第１方向に垂直な（Ｙ方向に沿った）第１トレース２１のトレース部２０１の幅は、第１の幅Ｗ１と実質的に同じである。第１方向に垂直な（Ｙ方向に沿った）コンタクト部２０２の最大幅は、第３の幅Ｗ３である。第１方向に垂直な（Ｙ方向に沿った）第１トレース２１の最大幅は、第４の幅Ｗ４である。第１の幅Ｗ１は第３の幅Ｗ３よりも小さく、第３の幅Ｗ３は第４の幅Ｗ４よりも小さい。
【００１４】
本実施形態において、タッチパネル１００のタッチ電極層２０は、第１基板１０上に配置され、かつ、第１トレース２１に隣接する第２トレース２２を更に含む。加えて、第２トレース２２の構造は、第１トレース２１の構造と同様であり、これについては本明細書では述べない。図２Ａに図示されるように、第１トレース２１のコンタクト部２０２と、第２トレース２２との間の最小距離Ｗ５は、第１トレース２１のトレース部２０１と、第２トレース２２との間の最小距離Ｗ６よりも大きい。
【００１５】
接続部２０３の２つの端部（第１端部２３１及び第２端部２３２）が、異なる第１の幅Ｗ１及び第２の幅Ｗ２を有し、かつ、第１の幅Ｗ１が第２の幅Ｗ２よりも小さいので、信号がトレース部２０１からコンタクト部２０２へと第１トレース２１の接続部２０３を介して転送されるとき、接合抵抗（ｊｕｎｃｔｉｏｎ  ｒｅｓｉｓｔａｎｃｅ）はより小さい。
【００１６】
また、接続部２０３の第１側部２０３１及び第２側部２０３２が曲線であるので、静電的集積から生じる静電気放電（ＥＳＤ）を効果的に防ぐことができる。
【００１７】
更に、第１トレース２１のコンタクト部２０２と、第２トレース２２との間の最小距離Ｗ５が、第１トレース２１のトレース部２０１と、第２トレース２２との間の最小距離Ｗ６よりも大きいので、隣接するトレース（第２トレース２２）によって第１トレース２１のコンタクト部２０２が妨害されることを効果的に防ぐことができる。
【００１８】
図２Ｂは、本開示に従った他の実施形態におけるタッチパネル１００’の上面図を示す。図２Ａに図示される構造と同様に、タッチパネル１００’のタッチ電極層は、第１トレース２１を含み、第１トレース２１は、トレース部２０１、コンタクト部２０２及び接続部２０３’を有する。接続部２０３’は、第１端部２３１及び第２端部２３２を有する。第１端部２３１はトレース部２０１に接続され、第２端部２３２はコンタクト部２０２に接続される。
【００１９】
図２Ｂに図示される実施形態において、接続部２０３’の第１端部２３１は第１の幅Ｗ１を有し、接続部２０３’の第２端部２３２は第２の幅Ｗ２を有し、第１の幅Ｗ１は第２の幅Ｗ２よりも小さい。
【００２０】
本開示に従った実施形態における接続部２０３’は、第１側部２０３３及び第２側部２０３４を有する。図２Ａに図示される実施形態とは異なり、第１側部２０３３は第１の曲率を有する曲線であり、第２側部２０３４は折れ線である。同様に、第１の曲率は、第１側部２０３３における部分の平均曲率として定義される。図２Ａに図示されるタッチパネル１００と同様に、他の要素の説明は本明細書では省略される。なお、第２側部２０３４は他の実施形態において直線でよいということが留意されるべきである。
【００２１】
図２Ｃは、本開示に従った更に他の実施形態におけるタッチパネル１００”の上面図を図示する。図２Ａに図示される構造と同様に、タッチパネル１００”のタッチ電極は第１トレース２１を含み、第１トレース２１は、トレース部２０１、コンタクト部２０２及び接続部２０３”を有する。接続部２０３”は、第１端部２３１及び第２端部２３２を有する。第１端部２３１はトレース部２０１に接続され、第２端部２３２はコンタクト部２０２に接続される。
【００２２】
図２Ｃに図示される実施形態において、接続部２０３”の第１端部２３１は第１の幅Ｗ１を有し、接続部２０３”の第２端部２３２は第２の幅Ｗ２を有し、第１の幅Ｗ１は第２の幅Ｗ２よりも小さい。
【００２３】
本開示に従った実施形態における接続部２０３”は、第１側部２０３５及び第２側部２０３６を有する。図２Ａに図示される実施形態とは異なり、第１側部２０３５は直線であり、第２側部２０３６は折れ線でよい。
【００２４】
図２Ａから図２Ｃに図示される実施形態において、コンタクト部２０２は長方形として図示されるが、本開示はこれに限らない。コンタクト部２０２の形状は、タッチパネルの構成によって決定され得る。加えて、コンタクト部２０２が長方形のとき、コンタクト部２０２の４つの角部は、静電気放電（ＥＳＤ）を防ぐように丸みを帯びた角部でよい。
【００２５】
加えて、タッチ電極層２０上に配置されるトレース（第１トレース２１及び第２トレース２２など）は、インクジェット印刷、スクリーン印刷又はフォトリソグラフィーにより形成され得る。
【００２６】
上記の実施形態におけるタッチパネルは、さまざまなタッチ表示装置に適用され得る。図３Ａから図３Ｄは、それぞれ、本開示に従った実施形態におけるタッチ表示装置１から４の断面図を示す。
【００２７】
図３Ａに図示されるように、タッチ表示装置１は、アウトセルタッチ表示装置などでよく、第１基板３１、アレイ層（図示しない）、表示媒体層３３、第２基板３２、保護層５００及びタッチ電極層１０２を含むことができる。アレイ層は第１基板３１上に配置される。表示媒体層３３はアレイ層上に配置される。第２基板３２は表示媒体層３３上に配置される。保護層５００は第２基板３２上に配置される。タッチ電極層１０２は、保護層５００と第１基板３１との間に配置される。本実施形態において、タッチ電極層１０２は、保護層５００と第２基板３２との間に配置される。
【００２８】
タッチ電極層１０２は、図１及び図２Ａに図示されるようなタッチ電極層２０と同様の構造を有することができ、かつ、複数のタッチ電極１１１と、第１トレース２１とを含むことができる。タッチ電極１１１はタッチ領域１１に配置される。第１トレース２１は、トレース部２０１、コンタクト部２０２及び接続部２０３を有する。トレース部２０１は、タッチ領域１１の外部のトレース領域１２に配置される。コンタクト部２０２は、タッチ領域１１に配置され、かつ、タッチ電極１１１のうちの少なくとも１つに電気的に接続される。接続部２０３は、第１端部２３１及び第２端部２３２を有する。第１端部２３１はトレース部２０１に接続され、第２端部２３２はコンタクト部２０２に接続される。接続部２０３の第１端部２３１は、第１の幅Ｗ１を有し、接続部２０３の第２端部２３２は、第１の幅Ｗ１とは異なる第２の幅Ｗ２を有する。一実施形態において、第１の幅Ｗ１は第２の幅Ｗ２よりも小さくてよい。本開示に従った実施形態におけるタッチ電極層１０２は、異なる方向に沿って配置される電極Ｔｘ及びＲｘを含むことができる。それ故、タッチ電極層１０２は、積層される電極Ｔｘ、Ｒｘか、あるいは、同一平面上の電極Ｔｘ、Ｒｘでよい。
【００２９】
本実施形態において、保護層５００はカバーガラスなどでよく、第１基板３１はアレイ基板などでよく、第２基板３２はカラーフィルター基板などでよく、表示媒体層３３は液晶層などでよい。しかしながら、本開示はこれらに限らない。
【００３０】
図３Ｂに図示されるように、タッチ表示装置２は、アウトセルタッチ表示装置などでよく、かつ、第１基板３１、アレイ層（図示しない）、表示媒体層３３、第２基板３２、保護層５００、第１タッチ電極層１０２１及び第２タッチ電極層１０２２を含むことができる。アレイ層は第１基板３１上に配置される。表示媒体層３３はアレイ層上に配置される。第２基板３２は表示媒体層３３上に配置される。保護層５００は第２基板３２上に配置される。本実施形態において、第１タッチ電極層１０２１は第２基板３２と表示媒体層３３との間に配置され、第２タッチ電極層１０２２は第２基板３２と保護層５００との間に配置され、第２基板３２は薄膜でよい。
【００３１】
第１タッチ電極層１０２１及び第２タッチ電極層１０２２は、図１及び図２Ａに図示されるようなタッチ電極層２０と同様の構造を有することができ、かつ、複数のタッチ電極１１１と、第１トレース２１とを含むことができる。タッチ電極１１１は、タッチ領域１１に配置される。第１トレース２１は、トレース部２０１、コンタクト部２０２及び接続部２０３を有する。トレース部２０１は、タッチ領域１１の外部のトレース領域１２に配置される。コンタクト部２０２は、タッチ領域１１に配置され、かつ、タッチ電極１１１のうちの少なくとも１つに電気的に接続される。接続部２０３は、第１端部２３１及び第２端部２３２を有する。第１端部２３１はトレース部２０１に接続され、第２端部２３２はコンタクト部２０２に接続される。接続部２０３の第１端部２３１は、第１の幅Ｗ１を有し、接続部２０３の第２端部２３２は、第１の幅Ｗ１とは異なる第２の幅Ｗ２を有する。一実施形態において、第１の幅Ｗ１は第２の幅Ｗ２よりも小さくてよい。本開示に従った実施形態における第１タッチ電極層１０２１及び第２タッチ電極層１０２２は、異なる方向に沿って配置される電極Ｔｘ及びＲｘを含むことができる。
【００３２】
本実施形態において、タッチ表示装置２は、表示媒体層３３と第１タッチ電極層１０２１との間に配置されるカラーフィルター基板３４を更に含むことができる。
【００３３】
図３Ｃに図示されるように、タッチ表示装置３はアウトセルタッチ表示装置などでよく、かつ、第１基板３１、アレイ層（図示しない）、表示媒体層３３、第２基板３２、保護層５００、第１タッチ電極層１０２１及び第２タッチ電極層１０２２を含むことができる。アレイ層は第１基板３１上に配置される。表示媒体層３３はアレイ層上に配置される。第２基板３２は表示媒体層３３上に配置される。保護層５００は第２基板３２上に配置される。第１タッチ電極層１０２１は、第２基板３２と表示媒体層３３との間に配置され、第２タッチ電極層１０２２は、第２基板３２と保護層５００との間に配置され、第２基板３２は薄膜でよい。
【００３４】
本実施形態において、タッチ表示装置３は、第１タッチ電極層１０２１と表示媒体層３３との間に配置される第３基板３５を更に含むことができ、第３基板３５は第２基板３２と同様の薄膜でよい。加えて、第１タッチ電極層１０２１及び第２タッチ電極層１０２２は、それぞれ、異なる方向に沿って配置される電極Ｔｘ及びＲｘを含むことができる。
【００３５】
第１タッチ電極層１０２１及び第２タッチ電極層１０２２は、図１及び図２Ａに図示されるようなタッチ電極層２０と同様の構造を有することができ、かつ、複数のタッチ電極１１１と、第１トレース２１とを含むことができる。タッチ電極１１１はタッチ領域１１に配置される。第１トレース２１は、トレース部２０１、コンタクト部２０２及び接続部２０３を有する。トレース部２０１は、タッチ領域１１の外部のトレース領域１２に配置される。コンタクト部２０２は、タッチ領域１１に配置され、かつ、タッチ電極１１１のうちの少なくとも１つに電気的に接続される。接続部２０３は、第１端部２３１及び第２端部２３２を有する。第１端部２３１はトレース部２０１に接続され、第２端部２３２はコンタクト部２０２に接続される。接続部２０３の第１端部２３１は、第１の幅Ｗ１を有し、接続部２０３の第２端部２３２は、第１の幅Ｗ１とは異なる第２の幅Ｗ２を有する。一実施形態において、第１の幅Ｗ１は第２の幅Ｗ２よりも小さくてよい。
【００３６】
また、タッチ表示装置３は、表示媒体層３３と第３基板３５との間に配置されるカラーフィルター基板３４を含むことができる。
【００３７】
図３Ｄに図示されるように、タッチ表示装置４は、オンセルタッチ表示装置などでよく、かつ、第１基板３１、アレイ層（図示しない）、表示媒体層３６、第２基板３２、保護層５００及びタッチ電極層１０２を含むことができる。アレイ層は第１基板３１上に配置される。表示媒体層３６はアレイ層上に配置される。第２基板３２は表示媒体層３６上に配置される。保護層５００は第２基板３２上に配置される。タッチ電極層１０２は、保護層５００と第１基板３１との間に配置される。本実施形態において、タッチ電極層１０２は、第２基板３２と表示媒体層３６との間に配置される。
【００３８】
タッチ電極層１０２は、図１及び図２Ａに図示されるようなタッチ電極層２０と同様の構造を有することができ、かつ、複数のタッチ電極１１１と、第１トレース２１とを含むことができる。タッチ電極１１１はタッチ領域１１に配置される。第１トレース２１は、トレース部２０１、コンタクト部２０２及び接続部２０３を有する。トレース部２０１は、タッチ領域１１の外部のトレース領域１２に配置される。コンタクト部２０２は、タッチ領域１１に配置され、かつ、タッチ電極１１１のうちの少なくとも１つに電気的に接続される。接続部２０３は、第１端部２３１及び第２端部２３２を有する。第１端部２３１はトレース部２０１に接続され、第２端部２３２はコンタクト部２０２に接続される。接続部２０３の第１端部２３１は、第１の幅Ｗ１を有し、接続部２０３の第２端部２３２は、第１の幅Ｗ１とは異なる第２の幅Ｗ２を有する。一実施形態において、第１の幅Ｗ１は、第２の幅Ｗ２よりも小さくてよい。
【００３９】
本実施形態において、表示媒体層３６は有機発光ダイオード（ＯＬＥＤ：Ｏｒｇａｎｉｃ  Ｌｉｇｈｔ−Ｅｍｉｔｔｉｎｇ  Ｄｉｏｄｅ）層でよく、本開示に従った実施形態におけるタッチ電極層１０２は、異なる方向に沿って配置される電極Ｔｘ及びＲｘを含むことができる。それ故、タッチ電極層１０２は積層される電極Ｔｘ、Ｒｘか、あるいは、同一平面上の電極Ｔｘ、Ｒｘでよい。
【００４０】
図４Ａから図４Ｃは、それぞれ、本開示に従った実施形態におけるタッチ表示装置５から７の断面図を図示する。図４Ａに図示されるように、タッチ表示装置５は、インセルタッチ表示装置などでよく、かつ、第１基板４１、アレイ層（図示しない）、表示媒体層４３、第２基板４２、保護層５００及びタッチ電極層１０２を含むことができる。アレイ層は、第１基板４１上に配置される。表示媒体層４３はアレイ層上に配置される。第２基板４２は表示媒体層４３上に配置される。保護層５００は第２基板４２上に配置される。タッチ電極層１０２は、表示媒体層４３と第１基板４１との間に配置される。
【００４１】
タッチ電極層１０２は、図１及び図２Ａに図示されるようなタッチ電極層２０と同様の構造を有することができ、かつ、複数のタッチ電極１１１と、第１トレース２１とを含むことができる。タッチ電極１１１はタッチ領域１１に配置される。第１トレース２１は、トレース部２０１、コンタクト部２０２及び接続部２０３を有する。トレース部２０１は、タッチ領域１１の外部のトレース領域１２に配置される。コンタクト部２０２は、タッチ領域１１に配置され、かつ、タッチ電極１１１のうちの少なくとも１つに電気的に接続される。接続部２０３は、第１端部２３１及び第２端部２３２を有する。第１端部２３１はトレース部２０１に接続され、第２端部２３２はコンタクト部２０２に接続される。接続部２０３の第１端部２３１は、第１の幅Ｗ１を有し、接続部２０３の第２端部２３２は、第１の幅Ｗ１とは異なる第２の幅Ｗ２を有する。一実施形態において、第１の幅Ｗ１は第２の幅Ｗ２よりも小さくてよい。
【００４２】
本実施形態において、保護層５００はカバーガラスなどでよく、第１基板４１はアレイ基板などでよく、表示媒体層４３は液晶層などでよい。本開示に従った実施形態におけるタッチ電極層１０２は、異なる方向に沿って配置される電極Ｔｘ及びＲｘを含むことができる。それ故、タッチ電極層１０２は積層される電極Ｔｘ、Ｒｘか、あるいは、同一平面上の電極Ｔｘ、Ｒｘでよい。
【００４３】
図４Ｂに図示されるように、タッチ表示装置６はオンセルタッチ表示装置などでよく、かつ、第１基板４１、アレイ層（図示しない）、表示媒体層４３、第２基板４２、保護層５００及びタッチ電極層１０２を含むことができる。アレイ層は第１基板４１上に配置される。表示媒体層４３はアレイ層上に配置される。第２基板４２は表示媒体層４３上に配置される。保護層５００は第２基板４２上に配置される。タッチ電極層１０２は、保護層５００と第１基板４１との間に配置される。本実施形態において、タッチ電極層１０２は保護層５００と第２基板４２との間に配置される。
【００４４】
タッチ電極層１０２は、図１及び図２Ａに図示されるようなタッチ電極層２０と同様の構造を有することができ、かつ、複数のタッチ電極１１１と、第１トレース２１とを含むことができる。タッチ電極１１１はタッチ領域１１に配置される。第１トレース２１は、トレース部２０１、コンタクト部２０２及び接続部２０３を有する。トレース部２０１は、タッチ領域１１の外部のトレース領域１２に配置される。コンタクト部２０２は、タッチ領域１１に配置され、かつ、タッチ電極１１１のうちの少なくとも１つに電気的に接続される。接続部２０３は、第１端部２３１及び第２端部２３２を有する。第１端部２３１はトレース部２０１に接続され、第２端部２３２はコンタクト部２０２に接続される。接続部２０３の第１端部２３１は、第１の幅Ｗ１を有し、接続部２０３の第２端部２３２は、第１の幅Ｗ１とは異なる第２の幅Ｗ２を有する。一実施形態において、第１の幅Ｗ１は第２の幅Ｗ２よりも小さくてよい。
【００４５】
本実施形態において、第２基板４２はカラーフィルター基板などでよく、表示媒体層４３は液晶層などでよい。
【００４６】
図４Ｃに図示されるように、タッチ表示装置７はハイブリッドインセルタッチ表示装置などでよく、かつ、第１基板４１、アレイ層（図示しない）、表示媒体層４３、第２基板４２、保護層５００、第１タッチ電極層１０２１及び第２タッチ電極層１０２２を含むことができる。アレイ層は第１基板４１上に配置される。表示媒体層４３はアレイ層上に配置される。第２基板４２は表示媒体層４３上に配置される。保護層５００は第２基板４２上に配置される。本実施形態において、第１タッチ電極層１０２１は、保護層５００と第２基板４２との間に配置され、第２タッチ電極層１０２２は、表示媒体層４３と第１基板４１との間に配置される。
【００４７】
第１タッチ電極層１０２１及び第２タッチ電極層１０２２は、図１及び図２Ａに図示されるようなタッチ電極層２０と同様の構造を有することができ、かつ、複数のタッチ電極１１１と、第１トレース２１とを含むことができる。タッチ電極１１１はタッチ領域１１に配置される。第１トレース２１は、トレース部２０１、コンタクト部２０２及び接続部２０３を有する。トレース部２０１は、タッチ領域１１の外部のトレース領域１２に配置される。コンタクト部２０２は、タッチ領域１１に配置され、かつ、タッチ電極１１１のうちの少なくとも１つに電気的に接続される。接続部２０３は、第１端部２３１及び第２端部２３２を有する。第１端部２３１はトレース部２０１に接続され、第２端部２３２はコンタクト部２０２に接続される。接続部２０３の第１端部２３１は、第１の幅Ｗ１を有し、接続部２０３の第２端部２３２は、第１の幅Ｗ１とは異なる第２の幅Ｗ２を有する。一実施形態において、第１の幅Ｗ１は第２の幅Ｗ２よりも小さくてよい。本開示に従った実施形態における第１タッチ電極層１０２１及び第２タッチ電極層１０２２は、異なる方向に沿って配置される電極Ｔｘ及びＲｘを含むことができる。
【００４８】
タッチ表示装置７の第１基板４１は、アレイ基板などでよく、タッチ表示装置７の第２基板４２は、カラーフィルター基板などでよい。
【００４９】
上記の実施例におけるタッチ表示装置１から７は、図１及び図２Ａに図示されるようなタッチパネル１００を含むが、本開示はこれに限らない。代わりに、図２Ｂにおけるタッチパネル１００’又は図２Ｃにおけるタッチパネル１００”は、タッチ表示装置１から７に適用することもできる。
【００５０】
加えて、タッチ表示装置１から７は、それぞれ、カラーフィルター層（図示しない）を含むことができる。カラーフィルター層は、表示媒体層（３３、３４）と第２基板（３２、４２）との間か、あるいは、アレイ層と表示媒体層（３３、４３）との間に配置され得る。
【００５１】
上記の実施形態において説明されるように、本開示に従った接続部は、異なる幅を有し、信号がトレース部からコンタクト部へと接続部を介して転送されるとき、接合抵抗はより小さい。更に、接続部の第１側部及び第２側部は曲線でよく、これにより、静電的集積から生じる静電気放電（ＥＳＤ）を効果的に防ぐことができる。
【００５２】
本開示に対し種々の修正及び変更を行うことができるということは、当業者にとって明らかである。以下の請求項及びそれらの等価物によって示される本開示の真の範囲と共に、明細書及び実施例は例示としてのみ考慮されることが意図される。
【符号の説明】
【００５３】
１  タッチ表示装置
２  タッチ表示装置
３  タッチ表示装置
４  タッチ表示装置
５  タッチ表示装置
６  タッチ表示装置
７  タッチ表示装置
１０  第１基板
１１  タッチ領域
１２  トレース領域
２０  タッチ電極層
２１  第１トレース
２２  第２トレース
３１  第１基板
３２  第２基板
３３  表示媒体層
３４  表示媒体層
３４  カラーフィルター基板
３５  第３基板
３６  表示媒体層
４１  第１基板
４２  第２基板
４３  表示媒体層
１００  タッチパネル
１００’  タッチパネル
１０２  タッチ電極層
１１１  タッチ電極
２０１  トレース部
２０２  コンタクト部
２０３  接続部
２０３’  接続部
２３１  第１端部
２３２  第２端部
５００  保護層
１０２１  第１タッチ電極層
１０２２  第２タッチ電極層
２０３１  第１側部
２０３２  第２側部
２０３３  第１側部
２０３４  第２側部
２０３５  第１側部
２０３６  第２側部
Ｒｘ  電極
Ｔｘ  電極
Ｗ１  第１の幅
Ｗ２  第２の幅
Ｗ３  第３の幅
Ｗ４  第４の幅
Ｗ５  最小距離
Ｗ６  最小距離
【図１】
0003198981.tif 000003
【図２Ａ】
0003198981.tif 000004
【図２Ｂ】
0003198981.tif 000005
【図２Ｃ】
0003198981.tif 000006
【図３Ａ】
0003198981.tif 000007
【図３Ｂ】
0003198981.tif 000008
【図３Ｃ】
0003198981.tif 000009
【図３Ｄ】
0003198981.tif 000010
【図４Ａ】
0003198981.tif 000011
【図４Ｂ】
0003198981.tif 000012
【図４Ｃ】
0003198981.tif 000013